【手続補正書】
【提出日】平成19年10月17日(2007.10.17)
【手続補正１】
【補正対象書類名】特許請求の範囲
【補正対象項目名】全文
【補正方法】変更
【補正の内容】
【特許請求の範囲】
【請求項１】
ライタ本体と、
上記ライタ本体に回動可能に取り付けられた開閉蓋体と、
上記開閉蓋体の回動中心に対して同軸に配置されたヤスリと、
上記ヤスリの下方に設置された発火石と、 
上記開閉蓋体を開放させる方向に回動動作させるときには上記ヤスリを同方向に同時に正回転させて上記発火石を擦るようにし、上記開閉蓋体を閉じる方向に回動動作させるときには上記ヤスリの同方向への逆回転を規制するヤスリ逆回転規制手段と、
を具備したことを特徴とするライタ。
【請求項２】
請求項１記載のライタにおいて、
上記ヤスリ逆回転規制手段は、上記開閉蓋体側と上記ヤスリとの間に設置されたコイルスプリングであり、開閉蓋体を開放させる方向に回動動作させるときには拡径されてヤスリに押し付けられ、それによって、開閉蓋体の回動動作に伴ってヤスリを同方向に同時に正回転させ、一方、開閉蓋体を閉じる方向に回動動作させるときには縮径されて上記ヤスリに対する押圧が解除され、それによって、ヤスリの逆回転を規制するように作用することを特徴とするライタ。
【請求項３】
ライタ本体と、
上記ライタ本体に回動可能に取り付けられた開閉蓋体と、
上記開閉蓋体の回動中心に対して同軸に配置されたヤスリと、
上記ヤスリの下方に設置された発火石と、
上記発火石を上記ヤスリ方向に付勢する発火石付勢手段と、
を具備し、
上記発火石付勢手段は上記発火石を上記ヤスリ方向に付勢するコイルスプリングを備えていて、該コイルスプリングはその内側に配置された軸部材によって伸張量を所定量に規制されていることを特徴とするライタ。
【請求項４】
ライタ本体と、
上記ライタ本体に回動可能に取り付けられた開閉蓋体と、
上記開閉蓋体の回動中心に対して同軸に配置されたヤスリと、
上記ヤスリの下方に設置された発火石と、
上記ヤスリの外側に移動可能に取り付けられ使用時には一方向に移動してヤスリを開放すると共に上記開閉蓋体の回動動作を許容し、非使用時には他方向に移動せられて上記ヤスリを覆うと共に上記開閉蓋体の回動動作を規制するヤスリカバと、
を具備したことを特徴とするライタ。
【手続補正２】
【補正対象書類名】明細書
【補正対象項目名】０００６
【補正方法】変更
【補正の内容】
【０００６】
上記従来の構成によると次のような問題があった。
まず、ヤスリが不必要な回転動作を行なって破損してしまうという問題があった。具体的に説明すると、既に説明したように、着火させる場合には、開閉蓋体を開放させる方向に回動動作させ、それによって、ヤスリが一方向に同時に正回転して発火石を擦る。又、消火する場合には、開閉蓋体を逆方向に回動動作させる。その際、ヤスリは同方向に回転する必要はないが、摩擦によって同方向に逆回転してしまう。その際、ヤスリの先端部が発火石に擦れて損傷してしまうものである。
又、別の問題として、ごく僅かになった発火石が飛び出してしまうという問題があった。すなわち、発火石は発火石付勢手段によってヤスリ方向に付勢されているが、その付勢量には制限はなくコイルスプリングの弾性復帰力が残っている範囲で付勢し続ける。その結果、残り僅かになった発火石が飛び出してしまうものである。
又、別の問題として、非使用時における不用意な着火という問題があった。従来のオイルライタにあっては、非使用時において開閉蓋体の回動動作をロックする構成にはなっていない。よって、幼児等が遊んで不用意に着火してしまうような心配があった。
【手続補正３】
【補正対象書類名】明細書
【補正対象項目名】０００７
【補正方法】変更
【補正の内容】
【０００７】
本発明はこのような点に基づいてなされたものでその目的とするところは、ヤスリの不必要な逆回転を規制することによりヤスリの損傷を防止し、又、残り僅かになった発火石の飛び出しを防止し、又、非使用時における不用意な着火を防止し、それらによって、着火部の構成の信頼性の向上を図ることが可能なライタを提供することにある。
【手続補正４】
【補正対象書類名】明細書
【補正対象項目名】０００８
【補正方法】変更
【補正の内容】
【０００８】
上記課題を解決するべく本願発明の請求項1によるライタは、ライタ本体と、  上記ライタ本体に回動可能に取り付けられた開閉蓋体と、上記開閉蓋体の回動中心に対して同軸に配置されたヤスリと、上記ヤスリの下方に設置された発火石と、上記開閉蓋体を開放させる方向に回動動作させるときには上記ヤスリを同方向に同時に正回転させて上記発火石を擦るようにし、上記開閉蓋体を閉じる方向に回動動作させるときには上記ヤスリの同方向への逆回転を規制するヤスリ逆回転規制手段と、を具備したことを特徴とするものである。
又、請求項２によるライタは、請求項１記載のライタにおいて、上記ヤスリ逆回転規制手段は、上記開閉蓋体側と上記ヤスリとの間に設置されたコイルスプリングであり、開閉蓋体を開放させる方向に回動動作させるときには拡径されてヤスリに押し付けられ、それによって、開閉蓋体の回動動作に伴ってヤスリを同方向に同時に正回転させ、一方、開閉蓋体を閉じる方向に回動動作させるときには縮径されて上記ヤスリに対する押圧が解除され、それによって、ヤスリの逆回転を規制するように作用することを特徴とするものである。
又、請求項３によるライタは、ライタ本体と、上記ライタ本体に回動可能に取り付けられた開閉蓋体と、上記開閉蓋体の回動中心に対して同軸に配置されたヤスリと、上記ヤスリの下方に設置された発火石と、上記発火石を上記ヤスリ方向に付勢する発火石付勢手段と、を具備し、上記発火石付勢手段は上記発火石を上記ヤスリ方向に付勢するコイルスプリングを備えていて、該コイルスプリングはその内側に配置された軸部材によって伸張量を所定量に規制されていることを特徴とするものである。
又、請求項４によるライタは、ライタ本体と、上記ライタ本体に回動可能に取り付けられた開閉蓋体と、上記開閉蓋体の回動中心に対して同軸に配置されたヤスリと、上記ヤスリの下方に設置された発火石と、上記ヤスリの外側に移動可能に取り付けられ使用時には一方向に移動してヤスリを開放すると共に上記開閉蓋体の回動動作を許容し、非使用時には他方向に移動せられて上記ヤスリを覆うと共に上記開閉蓋体の回動動作を規制するヤスリカバと、を具備したことを特徴とするものである。
【手続補正５】
【補正対象書類名】明細書
【補正対象項目名】０００９
【補正方法】変更
【補正の内容】
【０００９】
以上詳述したように本発明によるライタによると、ライタ本体と、上記ライタ本体に回動可能に取り付けられた開閉蓋体と、上記開閉蓋体の回動中心に対して同軸に配置されたヤスリと、上記ヤスリの下方に設置された発火石と、上記開閉蓋体を開放させる方向に回動動作させるときには上記ヤスリを同方向に同時に正回転させて上記発火石を擦るようにし、上記開閉蓋体を閉じる方向に回動動作させるときには上記ヤスリの同方向への逆回転を規制するヤスリ逆回転規制手段と、を具備した構成になっているので、ヤスリの不必要な逆回転を規制することができ、それによって、ヤスリの損傷を防止して長寿命化を図ることができる。
又、ライタ本体と、上記ライタ本体に回動可能に取り付けられた開閉蓋体と、上記開閉蓋体の回動中心に対して同軸に配置されたヤスリと、上記ヤスリの下方に設置された発火石と、上記発火石を上記ヤスリ方向に付勢する発火石付勢手段と、を具備し、上記発火石付勢手段は上記発火石を上記ヤスリ方向に付勢するコイルスプリングを備えていて、該コイルスプリングはその内側に配置された軸部材によって伸張量を所定量に規制されているので、発火石が残り僅かになったような場合でもそれが飛び出てしまうようなことを防止することができる。
又、ライタ本体と、上記ライタ本体に回動可能に取り付けられた開閉蓋体と、上記開閉蓋体の回動中心に対して同軸に配置されたヤスリと、上記ヤスリの下方に設置された発火石と、上記ヤスリの外側に移動可能に取り付けられ使用時には一方向に移動してヤスリを開放すると共に上記開閉蓋体の回動動作を許容し、非使用時には他方向に移動せられて上記ヤスリを覆うと共に上記開閉蓋体の回動動作を規制するヤスリカバと、を具備した構成になっているので、非使用時における不用意な着火を防止して安全性の向上を図ることができる。
【手続補正６】
【補正対象書類名】明細書
【補正対象項目名】００２７
【補正方法】変更
【補正の内容】
【００２７】
以上本実施の形態によると次のような効果を奏することができる。
まず、ヤスリ５５が不必要に逆回転して損傷してしまうことを防止することができる。これは、コイルスプリング５４の作用によるものである。すなわち、開閉蓋体７を開放する方向に回動動作させる場合には、コイルスプリング５４が拡径されてヤスリ５５に押圧される。よって、ヤスリ５５も開閉蓋体７の回動動作に伴って同時に正回転することになる。そして、発火石７１を擦って火花を発生させるものである。これに対して、開閉蓋体７を閉じる場合には、コイルスプリング５４が縮径されヤスリ５５に対する押圧が解除される。よって、開閉蓋体７が閉じる方向に回動動作してもヤスリ５５が同時に逆回転することはない。それによって、上記したように、ヤスリ５５の不必要な逆回転をなくしてその損傷を防止することができるものである。